(57)【要約】  本発明は、デュアル型化粧品容器に関するものであり、垂直方向の隔壁を利用して区画された多数の化粧液収容部及び入口を有する容器本体を具備して、前記それぞれの化粧液収容部に浸漬される多数のブラシ台が、着脱が自由な状態で装着されて、前記ブラシ台それぞれをふたに選択的に結合させて使用することに特徴がある。本発明は、それぞれ他の種類または色相の化粧液を一つの容器に入れて使用することで、いくつかの化粧品を所持するか、または保管しなければならない煩わしさがなくて、特に旅行時所持品を簡素化できるようになる一方、化粧品購入に必要な費用を節減できるようになって経済的であり、容器本体から分離させたふたをブラシ台の取っ手で使用することで、使用が便利で、化粧品容器を立てて保管することによって安定的であり、容器底に化粧液がたまる構造であるので、ブラシ台の塗布部がいつも化粧液に浸漬された状態を維持するようになって化粧時間を縮めることができるし、化粧液の残量を最大限無くすことで、経済的な効果を有する。【選択図】図１
2010512234.tif 000002
【特許請求の範囲】
【請求項１】
化粧液収容部１１５及び入口１１３を有する容器本体１１０と、
前記容器本体の入口１１３を通過して設置される複数のブラシ台１３０と、
前記容器本体の入口１１３に結合されるふた１２０と、及び
前記複数のブラシ台１３０のうち一つを前記ふた１２０に選択的に結合させるホルダー１４０と、
を含んで構成されることを特徴とするデュアル型化粧品容器。
【請求項２】
前記容器本体の化粧液収容部１１５は、一種類の化粧液を収容することができる一つの連通された収容空間を有することを特徴とする請求項１に記載のデュアル型化粧品容器。
【請求項３】
前記容器本体の化粧液収容部１１５は、前記複数のブラシ台１３０の間に垂直方向に形成された隔壁１１１によって複数に区画形成されることを特徴とする請求項１に記載のデュアル型化粧品容器。
【請求項４】
前記容器本体１１０は、お互いに異なる材質や色相、透明度を有する複数が前記複数のブラシ台１３０それぞれに対応される位置で相互結合されて形成されることを特徴とする請求項１に記載のデュアル型化粧品容器。
【請求項５】
前記容器本体１１０は、円形、卵円形のような曲面を有するか、または四角形、菱形、五角形、六角形のような多角形の外面を有することを特徴とする請求項１または４に記載のデュアル型化粧品容器。
【請求項６】
前記容器本体１１０は、前記化粧液収容部１１５と前記入口１１３が形成されたネック部１１４がお互いに異なる材質や、色相、透明度を有することを特徴とする請求項１に記載のデュアル型化粧品容器。
【請求項７】
前記容器本体１１０またはふた１２０は、二重射出によって複数の材質、色相、または透明度が複合的に適用された外観を有するように形成されることを特徴とする請求項１に記載のデュアル型化粧品容器。
【請求項８】
前記容器本体１１０は、前記ブラシ台１３０の外面に接続されるように前記入口１１３側に設置されて、前記ブラシ台１３０の移動によって前記ブラシ台１３０の表面についた化粧液を拭き上げるワイパー１５１を含んで構成されることを特徴とする請求項１に記載のデュアル型化粧品容器。
【請求項９】
前記容器本体１１０は、前記ブラシ台１３０の移動をガイドするように前記入口１１３側に前記ブラシ台１３０の延長方向に沿って貫通形成されたブラシ台ガイドホール１５３を含んで構成されることを特徴とする請求項１に記載のデュアル型化粧品容器。
【請求項１０】
前記ブラシ台１３０は、前記ワイパー１５１やブラシ台ガイドホール１５３の内面部に密着可能に前記ブラシ台１３０の外面部周りに結合されるＯリング１５５を含んで構成されることを特徴とする請求項８または９に記載のデュアル型化粧品容器。
【請求項１１】
前記ブラシ台１３０は、前記ワイパー１５１やブラシ台ガイドホール１５３の内面部に密着可能に前記ブラシ台１３０の外面部周りに半径方向に突出形成されるスクレパを含んで構成されることを特徴とする請求項８または９に記載のデュアル型化粧品容器。
【請求項１２】
前記ふた１２０は、前記ブラシ台１３０が前記ふた１２０の内側で受けるようになる加圧力によって押されて移動されることを防止するように、前記ふた１２０内部に前記ブラシ台１３０の内側端に対応される位置まで突出形成されたブラシ台定位置維持部１２７を含んで構成されることを特徴とする請求項１に記載のデュアル型化粧品容器。
【請求項１３】
前記複数のブラシ台１３０は、お互いに異なる材質や色相、形態を有することを特徴とする請求項１に記載のデュアル型化粧品容器。
【請求項１４】
前記ホルダー１４０は、前記ふた１２０に連結形成されて、前記ふた１２０の回転操作によって前記容器本体１１０外側で前記複数のブラシ台１３０のうちで一つに選択的に連結されることを特徴とする請求項１に記載のデュアル型化粧品容器。
【請求項１５】
前記ホルダー１４０は、前記ふた１２０の正、逆方向回転加圧力によって前記複数のブラシ台１３０のうちで一側と他側の外面部周りにそれぞれ締結されるように開放形成された複数のクリップ１４１を含んで構成されることを特徴とする請求項１または１４に記載のデュアル型化粧品容器。
【請求項１６】
前記容器本体のネック部１１４の外面部とふた１２０の内面部のうち一側に形成されて、前記複数のブラシ台１３０それぞれと前記ホルダー１４０との間の結合がなされる支点で前記ふた１２０の着脱移動方向に延長形成される複数の垂直延長部１６１ａと、
前記複数の垂直延長部１６１ａを連結する水平延長部１６１ｂで構成されるガイド経路を提供するガイド部１６１と、
および、前記容器本体のネック部１１４の外面部とふた１２０の内面部のうち他側に形成されて、前記ふた１２０の着脱、回転操作によって前記ガイド部の垂直延長部１６１ａ、水平延長部１６１ｂがガイドする経路に沿って移動されるガイド移動部１６３と、
を含んで構成されることを特徴とする請求項１または１４に記載のデュアル型化粧品容器。
【請求項１７】
前記ガイド部１６１は、“ц"、“цц"のような形状のガイド経路を提供することを特徴とする請求項１６に記載のデュアル型化粧品容器。
【請求項１８】
前記ガイド部１６１は陷沒形成されて、前記ガイド移動部１６３は前記ガイド部の垂直延長部１６１ａ、水平延長部１６１ｂ上に挿入可能に突出形成されることを特徴とする請求項１６に記載のデュアル型化粧品容器。
【請求項１９】
垂直方向の両分された第１、第２収容部１１５ａ、１１５ｂ及び第１、第２入口１１３ａ、１１３ｂを有する容器本体１１０と、
前記容器本体の第１、第２入口１１３ａ、１１３ｂに結合されるふた１２０と、
前記容器本体の第１、第２収容部１１５ａ、１１５ｂそれぞれに着脱が自由になるように結合される第１、第２ブラシ台１３０ａ、１３０ｂと、及び
前記ふた１２０内側に結合されて、第１、第２ブラシ台１３０ａ、１３０ｂのうちでいずれか一つを任意に選択結合させて容器本体１１０から引き出しされるようにするホルダー１４０と、
を含むデュアル型化粧品容器。
【請求項２０】
前記容器本体１１０は、第１、第２入口１１３ａ、１１３ｂにそれぞれ第１、第２ブラシ台１３０ａ、１３０ｂの外径を磨くためのワイパー１５１を設置することを特徴とする請求項１９に記載のデュアル型化粧品容器。
【請求項２１】
前記ふた１２０は、外部キャップ１２１と内部キャップ１２３の二重結合構造でなされて、前記内部キャップ１２３の内周縁下端にふた開き防止凹凸１２５が形成されて、前記内部キャップ１２３の内周縁上端一側にホルダー１４０を設置することを特徴とする請求項１９に記載のデュアル型化粧品容器。
【請求項２２】
前記第１、第２ブラシ台１３０ａ、１３０ｂは容器本体の第１、第２収容部１１５ａ、１１５ｂ内に浸漬される底側末端に化粧液を塗るための塗布部１３３ａ、１３３ｂを形成して、第１、第２入口１１３ａ、１１３ｂの上側に突き出される上端にはホルダー１４０と着脱結合されるための結合部１３１ａ、１３１ｂを形成することを特徴とする請求項１９に記載のデュアル型化粧品容器。
【請求項２３】
前記ホルダー１４０は、内部キャップ１２３の上端内周縁からの中心方向に延長設置される末端左右側にそれぞれ第１、第２ブラシ台１３０ａ、１３０ｂのうちでいずれか一つを任意に選択結合する第１、第２クリップ１４１ａ、１４１ｂを形成することを特徴とする請求項１９に記載のデュアル型化粧品容器。
【発明の詳細な説明】
【技術分野】
【０００１】
本発明は、デュアル型化粧品容器に関するものであり、より詳細には、お互い異なる多様な化粧液や塗布具を選択的に使用できるようにする化粧品容器に関するものである。
【背景技術】
【０００２】
一般に、口紅、リップグロス、マスカラ、アイライナー、マニキュアとともに液状の化粧品をブラシでつけて化粧する場合には主に毛束が植えられたブラシ台の下部キャップを化粧品容器に螺合してブラシ台と毛束が化粧品容器内部に保管された状態で簡便に携帯できるようになっていて、必要時キャップを分離すれば化粧溶液がつけられたブラシで化粧ができるようになっている。
【０００３】
前記したところのような化粧品らは化粧法に従って２種以上が順次にともに使用されるが、目化粧の場合にはマスカラ後、アイラインをすることが一般的で、唇化粧の場合には口紅後、コーティング液を塗ることが一般的で、爪化粧の場合にはマニキュアを塗った後、コーティング液を塗ることが一般的である。
【０００４】
したがって、従来には前記した化粧法のために多くの数の化粧品容器を別に購買して保管しなければならないために化粧品の収納空間が狭小で複雑になるだけでなく、化粧品の購買による費用負担が発生される問題があった。
【０００５】
また、化粧を初めて学ぶ人には化粧法に適合した化粧品等をいちいち選ぶか、またはセットで購買するなどのことが非常に煩わしくて難しいことであるので、無意識中に化粧を忌避するようになるか、または中間過程が省略されたまま化粧を仕上げるようになる問題があった。
【０００６】
これを解決するために提案された他の従来技術として、２個の容器内部に液状の口紅とリップグロスがそれぞれ注入されて、金属取っ手管の上、下部に２個のブラシ台がそれぞれ結合されて取っ手管の上、下部キャップらに容器らがそれぞれ螺合される唇化粧容器が提案されたことがあった。
【０００７】
このような従来技術は２種種類の化粧品を単一構成品でパッケージ化させて使用者の使用性を改善しようとしたことや、実は使用上の不便さの多い問題があった。
【０００８】
まず、口紅またはリップグロスの化粧時ある一側の容器がいつも取っ手管上部に位置しているために使用者が取っ手管を取って化粧するのに不便な問題があった。
【０００９】
また、使おうとする容器で取っ手管を分離させる過程で取っ手管の上側に位置した容器が誤って開放されて内部の化粧液が漏洩する問題点があった。
【００１０】
また、普段に化粧品を保管する時、立てて保管することが難しくて、寝かされたまま保管するようになるが、この場合、化粧液がある程度使用された後からはブラシ台が化粧液にまともに浸漬されることができなくて、ブラシ台に化粧液をつけにくくなる問題があった。
【発明の概要】
【発明が解決しようとする課題】
【００１１】
従来技術の問題点を解決するための本発明の目的は、それぞれ他の種類または他の色相の化粧液を一つの容器に入れて同時に使用されるようにするが、容器をいつも立てられた状態で保管することが可能で、１個のふたを利用して二つの種類にそれぞれ浸漬されたブラシ台を選択的に使用できるようにするデュアル型化粧品容器を提供することにある。
【課題を解決するための手段】
【００１２】
前述したような目的達成のため、本発明は、化粧液収容部１１５及び入口１１３を有する容器本体１１０と、該容器本体の入口１１３を通過して設置される多数のブラシ台１３０と、前記容器本体の入口１１３に結合されるふた１２０と、および前記多数のブラシ台１３０のうちで一つを前記ふた１２０に選択的に結合させるホルダー１４０と、を含んで構成されるデュアル型化粧品容器を技術的要旨とする。
【００１３】
ここで、前記容器本体の化粧液収容部１１５は、一つ種類の化粧液を収容することができる一つの連通された収容空間を有することが望ましくて、前記多数のブラシ台１３０の間に垂直方向に形成された隔壁１１１によって多数で区画形成されることも望ましい。
【００１４】
そして、前記容器本体１１０は、お互いに異なる材質や色相、透明度を有する多数が前記多数のブラシ台１３０それぞれに対応される位置で相互結合されて形成されることも望ましい。
【００１５】
また、前記容器本体１１０は、円形、卵円形のような曲面を有するか、または四角形、菱形、五角形、六角形のような多角形の外面を有することが望ましい。
【００１６】
そして、前記容器本体１１０は、前記化粧液収容部１１５と前記入口１１３が形成されたネック部１１４がお互いに異なる材質や、色相、透明度を有することが望ましい。
【００１７】
また、前記容器本体１１０またはふた１２０は、二重射出によって多数の材質、色相、または透明度が複合的に適用された外観を有するように形成されることが望ましい。
【００１８】
そして、前記容器本体１１０は、前記ブラシ台１３０の外面に接続されるように前記入口１１３側に設置されて、前記ブラシ台１３０の移動によって前記ブラシ台１３０の表面についた化粧液を拭き上げるワイパー１５１;を含んで構成されることが望ましい。
【００１９】
また、前記容器本体１１０は、前記ブラシ台１３０の移動をガイドするように前記入口１１３側に前記ブラシ台１３０の延長方向に沿って貫通形成されたブラシ台ガイドホール１５３を含んで構成されることが望ましい。
【００２０】
そして、前記ブラシ台１３０は、前記ワイパー１５１やブラシ台ガイドホール１５３の内面部に密着可能に前記ブラシ台１３０の外面部の周りに結合されるＯリング１５５を含んで構成されることが望ましい。
【００２１】
また、前記ブラシ台１３０は、前記ワイパー１５１やブラシ台ガイドホール１５３の内面部に密着可能に前記ブラシ台１３０の外面部周りに半径方向に突出形成されるスクレパ(図示せず)を含んで構成されることが望ましい。
【００２２】
そして、前記ふた１２０は、前記ブラシ台１３０が前記ふた１２０内側に受けるようになる加圧力によって押されて移動されることを防止するように、前記ふた１２０内部に前記ブラシ台１３０の内側端に対応される位置まで突出形成されたブラシ台定位置維持部１２７を含んで構成されることが望ましい。
【００２３】
また、前記多数のブラシ台１３０は、お互いに異なる材質や色相、形態を有することが望ましい。
【００２４】
そして、前記ホルダー１４０は、前記ふた１２０に連結形成されて、前記ふた１２０の回転操作によって前記容器本体１１０の外側で前記多数のブラシ台１３０のうちで一つに選択的に連結されることが望ましい。
【００２５】
また、前記ホルダー１４０は、前記ふた１２０の正、逆方向回転加圧力によって前記多数のブラシ台１３０のうちで一側と他側の外面部周りにそれぞれ締結されるように開放形成された多数のクリップ１４１を含んで構成されることが望ましい。
【００２６】
そして、前記容器本体のネック部１１４の外面部とふた１２０の内面部のうちで一側に形成されて、前記多数のブラシ台１３０それぞれと前記ホルダー１４０との間の結合がなされる支点で前記ふた１２０の着脱移動方向に延長形成される多数の垂直延長部１６１aと、前記多数の垂直延長部１６１ａを連結する水平延長部１６１ｂで構成されるガイド経路を提供するガイド部１６１、および、前記容器本体のネック部１１４の外面部とふた１２０の内面部のうちで他側に形成されて、前記ふた１２０の着脱、回転操作によって前記ガイド部の垂直延長部１６１ａ、水平延長部１６１ｂがガイドする経路に沿って移動されるガイド移動部１６３を含んで構成されることが望ましい。
【００２７】
また、前記ガイド部１６１は、“ц"（Ｕの下側を円弧でなく横直線にしたような形状）、“цц"のような形状のガイド経路を提供することが望ましい。
【００２８】
そして、前記ガイド部１６１は、陷沒形成されて、前記ガイド移動部１６３は前記ガイド部の垂直延長部１６１ａ、水平延長部１６１ｂ上に挿入可能に突出形成されることが望ましい。
【００２９】
また、本発明は垂直方向の両分された第１、第２収容部及び第１、第２入口を有する容器本体と、該容器本体の第１、第２入口に結合されるふた、前記容器本体の第１、第２収容部それぞれに着脱が自由になるように結合される第１、第２ブラシ台、及び前記ふた内側に結合されて、第１、第２ブラシ台のうちでいずれか一つを任意に選択結合させて容器本体から引き出しされるようにするホルダー、を含む。
【００３０】
ここで、前記容器本体は、第１、第２入口にそれぞれ第１、第２ブラシ台の外径を磨くためのワイパーを設置することができる。
【００３１】
そして、前記ふたは、外部キャップと内部キャップの二重結合構造でなされて、前記内部キャップの内周縁下端にふた開き防止の凹凸が形成されて、前記内部キャップの内周縁上端一側にホルダーを設置することに特徴がある。
【００３２】
また、前記第１、第２ブラシ台は容器本体の第１、第２収容部内に浸漬される底側末端に化粧液を塗るための塗布部を形成して、第１、第２入口の上側に突き出される上端にはホルダーと着/脱結合されるための結合部を形成することに特徴がある。
【００３３】
そして、前記ホルダー内部キャップの上端内周縁から中心方向に延長設置される末端左右側にそれぞれ第１、第２ブラシ台のうちでいずれか一つを任意に選択結合する第１、第２クリップを形成することを特徴とする。
【発明の効果】
【００３４】
本発明は、それぞれ異なる種類の化粧液やブラシ台を一つの容器に適用することで、いくつかの化粧品を所持するか、または保管しなければならない煩わしさがなくて、特に旅行時所持品を簡素化できるようになる一方、化粧品購入に必要な費用を節減するようになって、経済的な効果を有する。
【００３５】
本発明は、容器本体から分離させたふたをブラシ台の取っ手で使用することで、使用が便利で、化粧品容器を立てて保管することによって安定的で、容器底に化粧液がたまる構造であるので、ブラシ台の塗布部がいつも化粧液に浸漬された状態を維持するようになって、化粧時間を縮めることができるし、化粧液の残量を最大限無くすことで、経済的な効果を有する。
【００３６】
既存の化粧品容器は、ふたを５４０−７２０°回転させることで容器本体上に着脱組み立て可能であるが、本発明によれば、ガイド移動部をガイド部の垂直延長部と水平延長部相互間に移動させることができる程度に、ふたをすこし回転させることによって簡単に容器本体上に着脱組立てることができる。
【００３７】
ブラシ台に形成されたＯリング、スクレパと容器本体の入口側に形成されたブラシ台ガイドホールないしワイパー間の密着によって化粧液の漏水を防止することができるし、ブラシ台の外面を接続、支持して設置状態を安定的に維持するようにできて、使用後ブラシ台を容器本体内側に移動時、ブラシ台ガイドホールないしワイパーの内面についた化粧液を化粧液収容部側に押し入れながら拭き上げることができる。
【図面の簡単な説明】
【００３８】
【図１】本発明によるデュアル型化粧品容器の第１実施例を示す腰部分解斜視図である。
【図２】容器本体とブラシ台の第１実施例を示す縦断面図である。
【図３】図２の使用状態を示す腰部分解斜視図である。
【図４】容器本体とブラシ台の第２実施例示す縦断面図である。
【図５】図４の使用状態を示す腰部分解斜視図である。
【図６】容器本体とブラシ台の第３実施例を示す縦断面図である。
【図７】図６の使用状態を示す腰部分解斜視図である。
【図８】ふたを容器本体に結合させるのに好適な回転操作状態を示す腰部横断面図である。
【図９】図８に示された状態でふたを容器本体に結合させる組立例を説明するために示すガイド部及びガイド移動部の腰部透視正面図である。
【図１０】ふたの回転操作によるブラシ台とホルダーの結合状態を示す腰部横断面図である。
【図１１】図８で、図１０でブラシ台とホルダーの結合状態を切り替えて使用する使用例を説明するために示すガイド部及びガイド移動部の腰部透視正面図である。
【図１２】ふたの回転操作によるホルダーとブラシ台の他の結合状態を示す腰部横断面図である。
【図１３】図１０で、図１２でブラシ台とホルダーの結合状態を切り替えて使用する使用例を説明するために示すガイド部及びガイド移動部の腰部透視正面図である。
【図１４】本発明によるデュアル型化粧品容器の他の実施例を示す腰部分解斜視図である。
【図１５】図１４の結合断面図である。
【図１６】図１４の分解断面図である。
【発明を実施するための形態】
【００３９】
以下、本発明の望ましい実施例を添付された図面を参照して詳しく説明する。
【００４０】
図１は、本発明によるデュアル型化粧品容器の第１実施例を示す腰部分解斜視図であり、図２は、容器本体とブラシ台の第１実施例を示す縦断面図であり、図３は、図２の使用状態を示す腰部分解斜視図であり、図４は、容器本体とブラシ台の第２実施例を示す縦断面図であり、図５は、図４の使用状態を示す腰部分解斜視図であり、図６は、容器本体とブラシ台の第３実施例を示す縦断面図であり、図７は、図６の使用状態を示す腰部分解斜視図である。
【００４１】
そして、図８は、ふたを容器本体に結合させるのに好適な回転操作状態を示す腰部横断面図であり、図９は、図８に示された状態でふたを容器本体に結合させる組立例を説明するために示すガイド部及びガイド移動部の腰部透視正面図であり、図１０は、ふたの回転操作によるブラシ台とホルダーの結合状態を示す腰部横断面図であり、図１１は、図８で、図１０でブラシ台とホルダーの結合状態を切り替えて使用する使用例を説明するために示すガイド部及びガイド移動部の腰部透視正面図である。
【００４２】
そして、図１２は、ふたの回転操作によるホルダーとブラシ台の他の結合状態を示す腰部横断面図であり、図１３は、図１０で、図１２でブラシ台とホルダーの結合状態を切り替えて使用する使用例を説明するために示すガイド部及びガイド移動部の腰部透視正面図であり、図１４は、本発明によるデュアル型化粧品容器の他の実施例を示す腰部分解斜視図であり、図１５は、図１４の結合断面図であり、図１６は、図１４の分解断面図である。
【００４３】
本発明によるデュアル型化粧品容器は、お互いに異なる成分や色相などを有する多様な化粧液やお互いに異なる素材や形態を有する多様な塗布具を選択的に使用することができるようにする化粧品容器に関するものであり、大きく容器本体１１０、多数のブラシ台１３０、ふた１２０、ホルダー１４０でなされる。
【００４４】
前記容器本体１１０は、化粧液収容部１１５及び入口１１３を有して、前記ブラシ台１３０はお互いに同一であるか、他の材質や色相、形態を有する多数が前記容器本体の入口１１３を通過して相互並列になるように離隔設置されて、前記ふた１２０は前記容器本体の入口１１３に結合されて、前記ホルダー１４０は前記多数のブラシ台１３０のうちの一つを前記ふた１２０に選択的に結合させて、前記ふた１２０と結合された該当ブラシ台１３０を利用して化粧液を塗布できるようにする。
【００４５】
図２に示された前記容器本体１１０とブラシ台１３０の第１実施例で、前記容器本体の化粧液収容部１１５は一つ種類の化粧液を収容することができる一つの連通された収容空間を有して、前記多数のブラシ台１３０は毛束で構成されるブラシ形態の塗布部１３３ａを有する第１ブラシ台１３０ａと、フロッキング(Flocking)ファイルで構成される塗布部１３３ｂを有する第２ブラシ台１３０ｂでなされる。
【００４６】
これによって、一つ種類の化粧液を使用するにおいても、図３に示すように、ブラシ形態を有する前記第１ブラシ台の塗布部１３３ａを使用するのに好適であるか、またはフロッキングファイルで構成される前記第２ブラシ台の塗布部１３３ｂを使用するのに好適であるかによって、前記ホルダー１４０を利用して前記第１ブラシ台１３０ａと第２ブラシ台１３０ｂのうちで一側を選択的に前記ふた１２０に結合させて化粧液の塗布に適用することができる。
【００４７】
図４に示された前記容器本体１１０とブラシ台１３０の第２実施例で、前記容器本体の化粧液収容部１１５は、前記多数のブラシ台１３０の間に垂直方向に形成された隔壁１１１によって第１収容部１１５ａと第２収容部１１５ｂで区画形成されて、前記多数のブラシ台１３０は相互同一な材質や色相、形態などを有する第１ブラシ台１３０ａと第２ブラシ台１３０ｂでなされる。
【００４８】
これによって、前記容器本体の化粧液収容部１１５にお互いに異なる成分や色相を有する多様な種類の化粧液を共に収容することができて、お互いに同一な質や色相、形態などを有する前記第１ブラシ台１３０ａと第２ブラシ台１３０ｂを使用するにおいても、図５に示すように、前記第１ブラシ台１３０ａと第２ブラシ台１３０ｂそれぞれが浸漬されている化粧液を選択的に塗布することができる。
【００４９】
リップグロス液は、一般的に油分気が多くて揮発性が少ない特性を有して、容器の内壁に沿って垂れ下がることにおいても大体的に容器内壁に固着、残在されなくて、容器内壁の状態をぎれいに維持することができることによって、一般的に透明度を有するプラスチック(plastic)素材で容器を構成して、リップグロス液の使用状態などを使用者が容易に確認するようにしている。
【００５０】
しかし、マスカラ液には揮発性ソルベント(solvent)が含まれていて、揮発による固形を最大限防止するために一般的にポリプロピレン(polypropylene、ＰＰ)、ポリ塩化ビニル(polyvinylchloride、ＰＶＣ)などの素材でマスカラ容器を製造しているし、マスカラ液が黒色系列の濃い色相を有しながらもマスカラ容器の内壁に枯渇するようになる場合が多くて、外部でマスカラ液の固着、残在状態を確認することができないように不透明に製造している。
【００５１】
図６に示された前記容器本体１１０とブラシ台１３０の第３実施例で、前記容器本体１１０は、図４に示された前記容器本体１１０の第２実施例のように多様な種類の化粧液を収容することができる構造を有する点では類似であるが、お互いに異なる材質や色相、透明度を有する多数が、前記多数のブラシ台１３０それぞれに対応される位置で相互結合されて第１収容部１１５ａと第２収容部１１５ｂを構成する構造を有する
【００５２】
多様な種類の化粧液を前記第１収容部１１５ａと第２収容部１１５ｂに収容する場合において、それぞれの化粧液を収容する前記第１収容部１１５ａと第２収容部１１５ｂの素材、色相、透明度などを異なるように適用することができるし、これと同時に、お互いに異なる化粧液それぞれの使用に好適であるようにお互いに異なる形態を有する第１ブラシ台１３０ａと第２ブラシ台１３０ｂで前記多数のブラシ台１３０を構成することができる。
【００５３】
これによって、図７に示すように、前記第１ブラシ台１３０ａと第２ブラシ台１３０ｂを選択的に前記ふた１２０に結合することによって、お互いに異なる形態を有する前記第１ブラシ台１３０ａと第２ブラシ台１３０ｂそれぞれが浸漬されているお互いに異なる化粧液の使用も複合的になされることができる。
【００５４】
前記のような多様な実施例を適用して前記容器本体１１０を製造するにおいては、二重射出、インサート射出、超音波接合などを適用して前記隔壁１１１を形成するか、または多数の並列接合が可能であったら、前記容器本体１１０が一つの化粧液収容部１１５を有する場合ではなくても、化粧品容器に一般的に適用されている円形の断面形状及び円周形状の外面を有する実施例を含んで、その他の卵円形のような曲面、四角形、菱形、五角形、六角形のような多角形の外面を無理なく適用可能である。
【００５５】
前記容器本体の化粧液収容部１１５と前記入口１１３が形成されたネック部１１４を一体で射出して製作することもできるが、前記ネック部１１４には化粧液が固着、残在されやすくて、前記容器本体１１５を透明度を有する素材で構成する場合には、化粧液の固着によって前記ネック部１１４で外観を害しないように、前記ネック部１１４は不透明な素材や前記化粧液収容部１１５に比べて濃い色相を適用することが望ましい。
【００５６】
前記のように、前記容器本体１１０を製造するにおいては、二重射出、超音波接合、プリンティングなどの加工方法を適用して、前記化粧液収容部１１５とネック部１１４を一体で連結形成しながらも、それぞれの機能、使用過程を考慮して、前記化粧液収容部１１５とネック部１１４がお互いに異なる材質や、色相、透明度を有するようにすることが望ましい。
【００５７】
そして、前記容器本体１１０を製造するにおいて、前記化粧液収容部１１５とネック部１１４で区分して製作する他にも、多様な材質、色相、透明度が複合的に適用された外観を有するように前記化粧液収容部１１５自体または前記ネック部１１４自体を多数で区切って二重射出などによって製作することもでき、前記ふた１２０もまた多様な材質、色相、透明度が複合的に適用された外観を有するように製作することもできる
【００５８】
内面部が前記ブラシ台１３０の外面から近接した離隔距離を有するように前記ブラシ台１３０の延長方向に沿って貫通形成されたブラシ台ガイドホール１５３を具備すれば前記ブラシ台１３０の内外側移動を指定経路に安定するようにガイドすることができるし、前記入口１１３側に前記ブラシ台１３０の外面に接続、密着されるようにワイパー１５１を設置すれば、使用のために前記ブラシ台１３０を前記容器本体１１０外側に移動時、前記ブラシ台１３０の外面についた化粧液を拭き上げることができる。
そして、ゴム材のような軟質ないし弾性変形素材で構成されるＯリング１１５を前記ワイパー１５１やブラシ台ガイドホール１５３の内面部に密着可能に前記ブラシ台１３０の外面部周りに結合させるか、または前記ワイパー１５１やブラシ台ガイドホール１５３の内面部に密着されるように前記ブラシ台１３０の外面部周りに半径方向にスクレパ(Scraper  図示せず)を突出形成すれば、前記ブラシ台１３０とブラシ台ガイドホール１５３ないしワイパー１５１を相互密着させることができる。
【００５９】
前記ブラシ台１３０に形成されたＯリング１１５やスクレパと、前記ブラシ台ガイドホール１５３ないしワイパー１５１との間の密着によって化粧液の漏水を防止することができるし、前記ブラシ台１３０の外面を接続、支持して設置状態を安定的に維持するようにできて、使用後前記ブラシ台１３０を前記容器本体１１０内側に移動時、前記ブラシ台ガイドホール１５３ないしワイパー１５１の内面についた化粧液を前記化粧液収容部１１５側に押し入れながら拭き上げることができる。
【００６０】
前記ホルダー１４０を前記ふた１２０内側に形成する場合、前記ブラシ台１３０の一端部も前記ふた１２０内側に位置するようになるが、前記ふた１２０内部の前記ブラシ台１３０の一端部に対応される位置上にブラシ台定位置維持部１２７を突出形成すれば、前記ふた１２０を前記容器本体１１０に結合させる過程や、前記ふた１２０を前記容器本体１１０に結合させた状態で、前記ブラシ台１３０が任意の加圧力によって前記ふた１２０内側に押されて移動されることを防止することができる。
【００６１】
これによって、図２ないし図７に示すように、前記ホルダー１４０に結合されるか、または前記ホルダー１４０から離脱された状態になる前記多数のブラシ台１３０全部が、前記ブラシ台定位置維持部１２７によって前記ブラシ台ガイドホール１５３ないしワイパー１５１と気密に密着される指定位置を離脱しないように拘束されて、前記容器本体１１０外部に化粧液が流れ出ることを防止することができるし、前記ふた１２０を使って塗布する場合にも前記ブラシ台定位置維持部１２７が前記ブラシ台１３０の移動を拘束して安定的な塗布、使用を可能にする。
【００６２】
前記ホルダー１４０は、前記ふた１２０の回転操作によって前記容器本体１１０の外側で前記多数のブラシ台１３０のうちで一つに選択的に連結されるように前記ふた１２０に連結形成されて、図８、図１０、図１２に示すように、前記ふた１２０の正、逆方向の回転加圧力によって前記多数のブラシ台１３０のうちで一側と他側の外面部周りにそれぞれ締結ないし離脱されるように側面部一部が前記ブラシ台１３０の外径に比べて所定大きさ小さく開放形成された多数のクリップ１４１で構成することができる。
【００６３】
本発明によるデュアル型化粧品容器の第１実施例は、図１、図９、図１１、図１３に示すように、前記容器本体のネック部１１４の外面部とふた１２０の内面部のうちで一側と、他側にガイド部１６１とガイド移動部１６３をそれぞれ具備した構造を有する。
【００６４】
前記ガイド部１６１は、前記多数のブラシ台１３０それぞれと前記ホルダー１４０との間の結合がなされる支点で前記ふた１２０の着脱移動方向に延長形成される多数の垂直延長部１６１ａと、前記多数の垂直延長部１６１ａを連結する水平延長部１６１ｂで構成されて、“ц"（Ｕ字の下側の円弧を直線に置き換えた形状）、“цц"のような形状を有するガイド経路を陰刻で提供する。
【００６５】
前記ガイド移動部１６３は、前記ふた１２０の着脱、回転操作によって前記ガイド部の垂直延長部１６１ａ、水平延長部１６１ｂがガイドする経路に沿って自由に移動されることができるように、陷沒形成された前記ガイド部の垂直延長部１６１ａ、水平延長部１６１ｂ上に挿入可能に突出形成される。
【００６６】
既存の化粧品容器は、ふたと容器本体間の締結部がスクリュー(ねじ)構造を有していて、一般的にふたを５４０-７２０°回転させることで容器本体上に着脱組み立て可能であるが、本発明によれば、前記ガイド移動部１６３を前記ガイド部の垂直延長部１６１ａ上で水平延長部１６１ｂ上に移動させるか、または前記水平延長部１６１ｂ上で前記垂直延長部１６１ａ上に移動させることができる程度に、前記ふた１２０をすこし回転させることによって簡単に前記容器本体１００上に着脱組立てることができる。
【００６７】
前記ガイド部１６１が“ц”のような形状を有する場合、前記ふた１２０を前記容器本体１１０上に最初組み立て時、図１０、または図１２に示すように、前記第１ブラシ台１３０ａ、第２ブラシ台１３０ｂのうちで一側を優先的に前記ホルダー１４０及びふた１２０に締結、結合させた状態で前記容器本体１１０上に容易に組立てることができる。
【００６８】
前記ガイド部１６１が“цц”のような形状を有する場合、前記ふた１２０を前記容器本体１１０上に最初組み立て時、前記第１ブラシ台１３０ａ、第２ブラシ台１３０ｂのうちで一側を優先的に前記ホルダー１４０及びふた１２０に締結、結合させることなく、図８に示すように、前記第１ブラシ台１３０ａ、第２ブラシ台１３０ｂから前記ホルダー１４０が離隔された状態で、図９に示すような過程を経って、前記ふた１２０を前記容器本体１１０上に容易に組立てることができる。
【００６９】
前記ふた１２０を前記容器本体１１０上に最初組立てた以後には、図１１に示すように、前記ふた１２０を正方向に回転操作して、図１０に示すように、前記第１ブラシ台１３０ａに前記ホルダー１４０を締結させた後、前記ふた１２０を前記容器本体１１０から離脱させる過程を経って前記第１ブラシ台１３０ａ及び前記第１ブラシ台１３０ａについた化粧液を使用することができる
【００７０】
前記第１ブラシ台１３０ａを使った後には、前記第１ブラシ台１３０ａの端部を前記ブラシ台ガイドホール１５３ないしワイパー１５１を通じて前記容器本体１１０内部に進入させて、前記ガイド部の多数の垂直延長部１６１ａのうち前記第１ブラシ台１３０ａとホルダー１４０との間の締結がなされるようにする支点に形成された一側に前記ガイド移動部１６３が位置されるように前記ふた１２０の位置、方向などを調整させた後、前記ふた１２０を前記化粧液収容部１１５側に押して移動させて、前記ガイド移動部１６３が前記水平延長部１６１ｂに進入されるように前記ふた１２０を所定角度回転させることによって前記ふた１２０を前記容器本体１１０上に簡単に組み立て可能である。
【００７１】
前記第２ブラシ台１３０ｂを使おうとする場合には、図１３に示すように、前記ふた１２０を逆方向に回転操作して、図１２に示すように、前記第２ブラシ台１３０ｂに前記ホルダー１４０を締結させた後、前記ふた１２０を前記容器本体１１０から離脱させる過程を経って前記第２ブラシ台１３０ｂ及び前記第２ブラシ台１３０ｂについた化粧液を使用することができる。
【００７２】
前記第２ブラシ台１３０ｂを使った後には、前記第１ブラシ台１３０ａを使った後前記ふた１２０を前記容器本体１１０上に組立てる場合と同様に、前記第２ブラシ台１３０ｂとホルダー１４０との間の締結がなされるようにする支点に形成された垂直延長部１６１ａを通じて前記ガイド移動部１６３を前記水平延長部１６１ｂまで進入されるように前記ふた１２０を移動及び回転操作することによって前記ふた１２０を前記容器本体１１０に簡単に組み立て可能である。
【００７３】
前記第１ブラシ台１３０ａ、第２ブラシ台１３０ｂそれぞれの使用、適用がなされるようになる前記ふた１２０の適正な着脱位置及び方向を使用者が容易に分かるように前記ふた１２０ないし前記容器本体１１０上に識別用文字や図案を表記すれば、前記のように前記多数のブラシ台１３０を選択的に利用するにおいて、使用者が前記ふた１２０を移動及び回転操作して前記容器本体１１０上に脱着させる過程がより容易になされることができる。
【００７４】
そして、前記ふた１２０上面に左右回転方向を知らせる矢印を表記して、その末端にそれぞれマスカラまたはアイライナーなどの内容物を字や絵で表記するもののように前記化粧液収容部１１５に収容された化粧液の種類や、前記第１、第２ブラシ台１３０ａ、１３０ｂの種類を使用者が容易に分かるように、前記ふた１２０ないし容器本体１１０上に識別用文字や図案を表記することも望ましくて、多様な種類の化粧液を収容する場合、前記容器本体１１０を透明に製作するか、または色相、透明度、形態などで明確に区分されるように形成すれば、使用者が内容物を容易に識別することができる。
【００７５】
図１４に示された本発明によるデュアル型化粧品容器の他の実施例で、前記容器本体１１０には一番のブラシ台１３０ａ、１３０ｂが着脱が自由な状態で装着された状態であり、前記一対のブラシ台１３０ａ、１３０ｂは容器本体１１０に結合されるふた１２０の底面に選択的に結合された後、ふた１２０を容器本体１１０から分離する時共に引出されるようにする。
【００７６】
この時、引出されたブラシ台１３０の塗布部１３３には化粧液がつけられた状態として、使用者は塗布部１３３を利用して化粧ができるようになる。
【００７７】
図１４では、選択されたブラシ台１３０がふた１２０と共に容器本体１１０から分離して、選択されないブラシ台１３０が容器本体１１０に結合された状態で維持される例を示している。
【００７８】
図１４には示されなかったが、ふた１２０の内部には前記一対のブラシ台１３０ａ、１３０ｂを選択的に結合するためのホルダー(図示せず)が設けられた状態である。
【００７９】
図１５は、図１４に示された本発明によるデュアル型化粧品容器の結合断面図であり、図１６は図１４に示された本発明によるデュアル型化粧品容器の分解断面図である。
同図面で見るところのような本発明は、垂直方向の両分された第１、第２収容部１１５ａ、１１５ｂ及び第１、第２入口１１３ａ、１１３ｂを有する容器本体１１０と、前記容器本体の第１、第２入口１１３ａ、１１３ｂに結合されるふた１２０と、前記容器本体の第１、第２収容部１１５ａ、１１５ｂそれぞれに着脱が自由になるように結合される第１、第２ブラシ台１３０ａ、１３０ｂと、前記ふた１２０の内側に結合されて、第１、第２ブラシ台１３０ａ、１３０ｂのうちでいずれか一つを任意に選択結合させて容器本体１１０から引出されるようにするホルダー１４０を構成する。
【００８０】
前記容器本体１１０は、お互いに異なる異種の化粧液を収容するための第１、第２収容部１１５ａ、１１５ｂを有して、前記第１、第２収容部１１５ａ、１１５ｂはそれぞれ別途の入口、すなわち第１、第２入口１１３ａ、１１３ｂを有する。
【００８１】
前記第１、第２収容部１１５ａ、１１５ｂにはお互いに異なる種類の化粧液(例：マスカラとアイライナー、口紅とリップグロスなど)を収容するようになるが、容器本体１１０の内部空間に垂直方向に形成される隔壁１１１によって区画される。もちろん前記第１、第２収容部１１５ａ、１１５ｂにはお互いに同じ種類の他の色相の化粧液が収容されるようにすることもできる。
【００８２】
ここで、前記隔壁１１１は、容器本体１１０の内部空間を独立された多数の空間を有するように区切るようになるが、必要によっては２個以上の空間を区切ることも可能である。このような隔壁１１１は容器本体１１０を成形する過程で一体型で成形されるようにすることが望ましい。
【００８３】
また、前記容器本体１１０は、硝子または合成樹脂を利用して製作されることができるが、内部の化粧液が外部で見えるように透明または半透明材質で製作されることが望ましい。
【００８４】
前記した容器本体の第１、第２入口１１３ａ、１１３ｂにはワイパー１５１が結合されるようにすることができるが、前記ワイパー１５１は伸縮性を有する軟性のゴム材質で製作される第１、第２入口１１３ａ、１１３ｂを通過する第１、第２ブラシ台１３０ａ、１３０ｂ及び塗布部１３３ａ、１３３ｂの外径を圧着させて第１、第２ブラシ台１３０ａ、１３０ｂ及び塗布部１３３ａ、１３３ｂの外径についている化粧液が適切に拭き取られるようにすることで、化粧液が過度につけられて垂れ下がるという問題が解決されるようにする。
【００８５】
前記容器本体の第１、第２入口１１３ａ、１１３ｂの外径にはふた開き防止凹凸１１７を形成するようになるが、前記ふた開き防止凹凸１１７は環状の突起として、以後に説明するふた１２０と結合時に離脱を防止させる役割を遂行するようになる。
【００８６】
前記第１、第２入口１１３ａ、１１３ｂに設置されるワイパー１５１は、それぞれが別個で設置されることもできるが、図１ないし図３で見るところのように一対が一体で成形製作されるようにすることもできる。
【００８７】
このようなワイパー１５１は、化粧液を拭き上げる役割以外にも容器本体１１０に収容された第１、第２ブラシ台１３０ａ、１３０ｂが揺れるか離脱されないように圧着支持する役割も共に遂行するようになる。
【００８８】
前記ふた１２０は、外部キャップ１２１と内部キャップ１２３の二重結合構造でなされるが、これは前記外部キャップ１２１化粧品容器の物品的な特性上外的審美感を良くするためのものである。
【００８９】
すなわち、内部キャップ１２３はその内周縁下端にふた開き防止凹凸１２５が形成されるようにして、内周縁上端一側には第１、第２ブラシ台１３０ａ、１３０ｂを装着させるためのホルダー１４０を設置するところのように器具的な役割を提供することに比べて、外部キャップ１２１は内部キャップ１２３の外部に結合されることで、ふた１２０構造を美的に仕上げる役割をするようになる。
【００９０】
このような外部キャップ１２１は、金属材質を利用して製作するなど製品のイメージを高級化するのに寄与するようになる。
【００９１】
ここで、前記内部キャップ１２３に形成されるふた開き防止凹凸１２５は、環形の突起構造として、容器本体１１０に形成されたふた開き防止凹凸１１７とかみ合ってふた１２０が容器本体１１０から容易に離脱されることを防止するようになる。
【００９２】
そして、前記ホルダー１４０は、内部キャップ１２３の上端内周縁から中心方向に延長設置される末端から左右側に分岐される第１、第２クリップ１４１ａ、１４１ｂを形成するようになる。
【００９３】
この時、前記第１、第２クリップ１４１ａ、１４１ｂは、“Ｃ” 字形状で製作されることができるが、このような形状は第１、第２ブラシ台１３０ａ、１３０ｂの外径を囲んで握るのに有利な構造を有する。この時前記“Ｃ” 字形状のうち開口された部分を利用して第１、第２ブラシ台１３０ａ、１３０ｂの外径を着/脱結合するようになるが、前記開口された範囲は第１、第２ブラシ台１３０ａ、１３０ｂの直径より小さくなければならない。
【００９４】
これは、第１、第２クリップ１４１ａ、１４１ｂに結合された第１、第２ブラシ台１３０ａ、１３０ｂが易しく分離されないで、適正な外圧のみによって分離されるようにするためである。
【００９５】
したがって、前記第１、第２クリップ１４１ａ、１４１ｂは所定の弾性復元力を有することが望ましいが、このためにホルダー１４０の材質を弾性材質にするか、または第１、第２クリップ１４１ａ、１４１ｂの開口側の太さを細く製作して着/脱時変形がなされるようにすることが望ましい。
【００９６】
前記したホルダー１４０は内部キャップ１２３と共に一体で成形製作されるようにすることもできるが、異種の材質(例:金属材質)で製作した後、組立てることもできる。
【００９７】
前記第１、第２ブラシ台１３０ａ、１３０ｂは容器本体の第１、第２収容部１１５ａ、１１５ｂ内に浸漬される底側末端に化粧液を塗るための塗布部１３３ａ、１３３ｂを形成して、第１、第２入口１１３ａ、１１３ｂの上側に突き出される上端にはホルダー１４０と着/脱結合されるための結合部１３１ａ、１３１ｂを形成する。
【００９８】
この時、塗布部１３３ａ、１３３ｂは、化粧液を塗布するための手段として、ブラシ形態で製作されることができるが、この以外にもコムブラシ形態またはスポンジタイプなどが使用されることもできる。
【００９９】
そして、前記結合部１３１ａ、１３１ｂの形状は“I”形状で製作することが望ましいが、前記結合部１３１ａ、１３１ｂ上下部に水平方向に延長されたあごを形成することは、ホルダー１４０の第１、第２クリップ１４１ａ、１４１ｂが側面方向に結合された後垂直方向に離脱されないようにするためである。
【０１００】
前記したところのような第１、第２ブラシ台１３０ａ、１３０ｂは、普段容器本体１１０に浸漬された状態で保管できるが、化粧時には使用者の選択によって１個ずつ交代で引出しされて使用される。
【０１０１】
前記ふた１２０を使用者の選択によって左右回転させるようになれば、ホルダー１４０の第１、第２クリップ１４１ａ、１４１ｂが第１、第２ブラシ台１３０ａ、１３０ｂと着脱を繰り返すようになって、いずれか一つが選択されれば、ふた１２０を垂直方向に引いて容器本体１１０から分離させるようになる。この時、前記ふた１２０と容器本体１１０との間にはふた開き防止凹凸１２５、１１７がかみ合った状態として、ふた１２０を力をこめて分離させるが、すこし折って分離させることが望ましい。
【０１０２】
前記したところのように容器本体１１０から先に引出された第１ブラシ台１３０ａを利用して化粧を終えた後には、図４でのようにふた１２０を容器本体１１０に再び結合させて時計方向に回転させることで、第１ブラシ台１３０ａがホルダー１４０の第１クリップ１４１と分離すると同時に第２クリップ１４３が第２ブラシ台１３０と結合されるようにする。
【０１０３】
前記したところのように第２ブラシ台１３０が選択されてからは、ふた１２０と容器本体１１０を分離させて選択された第２ブラシ台１３０を利用して化粧を続くようになる
このような、方法で使用者は二つのお互いに異なる化粧液を交替して手軽く化粧することができるようになる。また、本発明は前記容器本体１１０に収容された化粧液は、製品の市場発表段階で使用者に適当でなるようにセッティングされて発売開始されることで、化粧品を選ぶ悩みを少なくするようになる利点を有する。
【符号の説明】
【０１０４】
１００  化粧品容器、１１０  容器本体、１１１  隔壁、１１３  入口、１１３ａ  第１入口、１１３ｂ  第２入口、１１４  ネック部、１１５  化粧液収容部、１１５ａ  第１収容部、１１５ｂ  第２収容部、１１７  ふた開き防止凹凸、１２０  ふた、１２１  外部キャップ、１２３  内部キャップ、１２５  ふた開き防止凹凸、１２７  ブラシ台定位置維持部、１３０  ブラシ台、１３０ａ  第１ブラシ台、１３１ａ  第１ブラシ台の結合部、１３３ａ  第１ブラシ台の塗布部、１３０ｂ  第２ブラシ台、１３１ｂ  第２ブラシ台の結合部、１３３ｂ  第２ブラシ台の塗布部、１４０  ホルダー、１４１  クリップ、１４１ａ  第１クリップ、１４１ｂ  第２クリップ、１５１  ワイパー、１５３  ブラシ台ガイドホール、１５５  Ｏリング、１６１  ガイド部、１６１ａ  垂直延長部、１６１ｂ  水平延長部、１６３  ガイド移動部。
【図１】
2010512234.tif 000003
【図２】
2010512234.tif 000004
【図３】
2010512234.tif 000005
【図４】
2010512234.tif 000006
【図５】
2010512234.tif 000007
【図６】
2010512234.tif 000008
【図７】
2010512234.tif 000009
【図８】
2010512234.tif 000010
【図９】
2010512234.tif 000011
【図１０】
2010512234.tif 000012
【図１１】
2010512234.tif 000013
【図１２】
2010512234.tif 000014
【図１３】
2010512234.tif 000015
【図１４】
2010512234.tif 000016
【図１５】
2010512234.tif 000017
【図１６】
2010512234.tif 000018
【国際調査報告】
2010512234.tif 000019
2010512234.tif 000020
2010512234.tif 000021
2010512234.tif 000022